(57)【要約】【課題】水源から地上に設けてある消火栓へ水を供給する給水管を短時間で地下に固定し、また給水管を固定した後に発生する廃材を無くし、前記給水管を固定するための費用を削減することができる地上式消火栓システムを提供する。【解決手段】給水管３の周面に沿うべき半円切欠８ｂ（８０ｂ）を備える二つのコンクリートブロック８、８０を、該半円切欠８ｂ（８０ｂ）が前記給水管３を挟むように、前記給水管３の周囲に位置決めし、前記給水管３の周面とコンクリートブロック８、８０との間に間隙を形成し、該間隙に少量の生コンクリートを充填して前記給水管３を固定する構成とした。【選択図】図２
2008267075.tif 000002
【特許請求の範囲】
【請求項１】
水源から地上に設けてある消火栓へ水を供給する給水管の周面に設けてあり、該給水管を地下に固定する固定部材を備える地上式消火栓システムにおいて、
前記固定部材は、前記給水管の周囲にて組合わせて配置され、前記給水管の周面との間に間隙を形成する複数のブロックを備えており、前記間隙に固定剤を充填してあることを特徴とする地上式消火栓システム。
【請求項２】
複数の前記ブロックを連結する連結部材を備えることを特徴とする請求項１に記載の地上式消火栓システム。
【請求項３】
前記連結部材はボルト及びナットであり、前記ブロックに該ボルトを挿通する挿通孔を開設してあることを特徴とする請求項２に記載の地上式消火栓システム。
【請求項４】
前記給水管は地上に延出しており、前記給水管の地上に延出した部分を囲む周壁部材を備えることを特徴とする請求項１乃至３のいずれか一つに記載の地上式消火栓システム。
【請求項５】
水源から地上に設けてある消火栓へ水を供給する給水管の周面に沿うべき凹部をその一側に備えることを特徴とする地上式消火栓用ブロック。
【発明の詳細な説明】
【技術分野】
【０００１】
本発明は、水源から地上に設置してある消火栓へ水を供給する給水管を短時間で地下に固定する地上式消火栓システム及び前記給水管を地下に固定するための地上式消火栓用ブロックに関する。
【背景技術】
【０００２】
従来の地上式消火栓システムは、水道管から地上に設置してある消火栓へ水を供給する給水管を地下に固定するときに、給水管の周囲に木枠を設け、該木枠の中に生コンクリートを流し込み、前記給水管を地下に固定していた（非特許文献１参照）。
【０００３】
また前記消火栓及び給水管の接続部分には、二つのフランジをそれぞれ設けてあり、両フランジを対向させて前記消火栓と前記給水管とを接続してある。消火栓のフランジの径は給水管のフランジの径よりも大きく、消火栓のフランジには周方向に沿って孔部を開設してある。給水管に設けてあるフランジの給水管側には、貫通孔を備え衝撃により破壊される破壊板を、該貫通孔が給水管のフランジの外側に位置するように配置してある。給水管側からボルトを前記貫通孔及び孔部に挿通し、ボルトの先端に袋ナットを螺合して締付け、該袋ナット及び破壊板の間にて、両フランジを挟着してあり、前記消火栓に車両が衝突したときには、前記破壊板が破壊されて前記消火栓が倒れるので、前記消火栓への衝撃は前記給水管へは伝播せず、前記給水管の損傷を防ぐことができる。
【０００４】
また、前記消火栓のフランジの径を前記給水管のフランジの径と略同寸にして、両フランジにそれぞれ開設してある孔に、衝撃により破壊されるボルトを挿入してナットにより接続してある地上式消火栓システムの場合には、前記消火栓に車両が衝突したときには、前記ボルトが破壊されて前記消火栓が倒れるので、前記消火栓への衝撃は前記給水管へは伝播せず、前記給水管の損傷を防ぐことができる。
【非特許文献１】北川消火栓総合カタログ、１９８７年１１月、Ｐ３
【発明の開示】
【発明が解決しようとする課題】
【０００５】
前記給水管を固定するためには、木枠に多量の生コンクリートを流入させる必要があり、生コンクリートが完全に凝固するまでに長時間を要し、また前記給水管を固定した後の木枠は廃材になるので、前記給水管を固定するための費用が嵩む。
【０００６】
また倒された前記消火栓を前記給水管に接続して消火栓を復元する場合に備えて、前記給水管を地上から適長延出させ、ボルトを前記給水管のフランジの下側から、前記消火栓の孔部に挿入する作業を行うための空間を確保することが望ましい。しかし、地上式消火栓システムの外観を考慮して、前記給水管を地上から殆ど延出させていない場合があり、この場合には消火栓を復元するときに前記給水管の周りにある土、砂利等を取除く必要があり、迅速な復元を困難にしていた。
【０００７】
本発明は斯かる事情に鑑みてなされたものであり、給水管の周囲に複数のブロック、例えばコンクリートブロックを組合わせて配置することにより、前記給水管の周面と該コンクリートブロックとの間に間隙を形成し、該間隙に少量の固定剤、例えば生コンクリートを充填して、前記給水管を短時間で地下に固定し、また前記ブロックを、前記給水管を固定する固定部材の一部にして廃材を無くし、前記給水管を固定するための費用を削減することができ、また保守点検、修理、新しい地上式消火栓システムへの交換等を行うときに、充填したコンクリートを破砕することにより、容易にコンクリートブロックを取り出すことができ、取り出したコンクリートブロックを再利用することができる地上式消火栓システムを提供することを目的とする。
【０００８】
また複数の前記ブロックを連結する連結部材を設けることにより、前記ブロックをそれぞれ継合し、前記ブロックの継目に隙間が発生し、前記給水管の周面と前記ブロックとの間に形成された間隙に充填した固定剤が、ブロックの継目から流出することを防ぐことができる地上式消火栓システムを提供することを目的とする。
【０００９】
また前記ブロックにボルトを挿通する挿通孔を開設し、前記ボルトに螺合するナットを設けることにより、前記ブロックをそれぞれ緊密に継合し、前記ブロックの継目に隙間が発生し、前記給水管の周面と前記ブロックとの間に形成された間隙に充填した固定剤が、ブロックの継目から流出することを防ぐことができる地上式消火栓システムを提供することを目的とする。
【００１０】
また前記給水管の地上から延出した部分を囲む周壁部材を設けることにより、前記給水管の延出した部分を視認することができず、地上式消火栓システムの外観を維持すると共に、前記周壁部材の内側に、消火栓が倒された場合に備えて、倒された消火栓の復元作業を行う空間を確保して、迅速に復元することができ、また必要に応じて周壁部材を外し、容易に復元作業を行うことができる地上式消火栓システムを提供することを目的とする。
【００１１】
また給水管の周囲に二つのブロック、例えばコンクリートブロックを組合わせて配置し、該コンクリートブロックに前記給水管の周面に沿う凹部を設け、該凹部と前記給水管の周面との間に間隙を形成することにより、該間隙に少量の固定剤、例えば生コンクリートを充填して、前記給水管を短時間で地下に固定し、また前記ブロックを、前記給水管を地下に固定する部材の一部にして廃材を無くし、前記給水管を固定するための費用を削減することができる地上式消火栓用ブロックを提供することを目的とする。
【課題を解決するための手段】
【００１２】
本発明に係る地上式消火栓システムは、水源から地上に設けてある消火栓へ水を供給する給水管の周面に設けてあり、該給水管を地下に固定する固定部材を備える地上式消火栓システムにおいて、前記固定部材は、前記給水管の周囲にて組合わせて配置され、前記給水管の周面との間に間隙を形成する複数のブロックを備えており、前記間隙に固定剤を充填してあることを特徴とする。
【００１３】
本発明においては、給水管の周囲に複数のブロック、例えばコンクリートブロックを組合わせて配置することにより、前記給水管の周面と該コンクリートブロックとの間に間隙を形成し、該間隙に少量の固定剤、例えば生コンクリートを充填して前記給水管を地下に固定し、また前記ブロックを、前記給水管を固定する固定部材の一部にする。
【００１４】
本発明に係る地上式消火栓システムは、複数の前記ブロックを連結する連結部材を備えることを特徴とする。
【００１５】
本発明においては、複数の前記ブロックを連結する連結部材を設けることにより、前記ブロックをそれぞれ継合し、前記ブロックの継目に隙間が発生することを防ぐ。
【００１６】
本発明に係る地上式消火栓システムは、前記連結部材はボルト及びナットであり、前記ブロックに該ボルトを挿通する挿通孔を開設してあることを特徴とする。
【００１７】
本発明においては、前記ブロックにボルトを挿通する挿通孔を開設し、前記ボルトに螺合するナットを設けることにより、前記ブロックをそれぞれ緊密に継合し、前記ブロックの継目に隙間が発生することを防ぐ。
【００１８】
本発明に係る地上式消火栓システムは、前記給水管は地上に延出しており、前記給水管の地上に延出した部分を囲む周壁部材を備えることを特徴とする。
【００１９】
本発明においては、前記給水管を地上から適長延出した場合に、前記給水管の延出した部分を囲む周壁部材を設けることにより、前記給水管の延出した部分を周壁部材の外側から視認することができず、また前記周壁部材の内側に、給水管側から、破壊板の前記貫通孔及び消火栓の前記孔部にボルトを挿入する作業を行うための空間を確保する。
【００２０】
本発明に係る地上式消火栓用ブロックは、水源から地上に設けてある消火栓へ水を供給する給水管の周面に沿うべき凹部をその一側に備えることを特徴とする。
【００２１】
給水管の周囲に地上式消火栓用ブロック、例えばコンクリートブロックを二つ組合わせて配置し、コンクリートブロックの前記給水管の周面と対向する部分に、前記給水管の周面に沿う凹部を設けておき、前記給水管の周面と該凹部との間に間隙を形成することにより、該間隙に少量の固定剤、例えば生コンクリートを充填して、前記給水管を短時間で地下に固定し、また前記ブロックを、前記給水管を地下に固定する部材の一部にして廃材を無くす。
【発明の効果】
【００２２】
本発明に係る地上式消火栓システムにあっては、前記給水管の周囲に複数のブロック、例えばコンクリートブロックを組合わせて配置することにより、前記給水管の周面と該コンクリートブロックとの間に間隙を形成し、該間隙に少量の固定剤、例えば生コンクリートを充填して、前記給水管を短時間で地下に固定し、また前記ブロックを、前記給水管を固定する固定部材の一部にして廃材を無くし、前記給水管を固定するための費用を削減することができ、また保守点検、修理、新しい地上式消火栓システムへの交換等を行うときには、充填したコンクリートを破砕することにより、容易にコンクリートブロックを取り出すことができ、取り出したコンクリートブロックを再利用することができる。
【００２３】
本発明に係る地上式消火栓システムにあっては、複数の前記ブロックを連結する連結部材を設けることにより、前記ブロックをそれぞれ継合し、前記ブロックの継目に隙間が発生し、前記間隙に充填した固定剤が前記ブロックの継目から流出することを防ぐことができる。
【００２４】
本発明に係る地上式消火栓システムにあっては、前記ブロックにボルトを挿通する挿通孔を開設し、前記ボルトに螺合するナットを設けることにより、前記ブロックをそれぞれ緊密に継合し、前記ブロックの継目に隙間が発生し、前記間隙に充填した固定剤が前記ブロックの継目から流出することを防ぐことができる。
【００２５】
本発明に係る地上式消火栓システムにあっては、前記給水管の地上に延出した部分を囲む周壁部材を設けることにより、前記給水管を地上から適長延出した場合に、前記給水管の延出した部分を周壁部材の外側から視認することができず、地上式消火栓システムの外観を維持すると共に、前記周壁部材の内側に、給水管側から、前記貫通孔及び前記孔部にボルトを挿入する作業を行うための空間を確保し、消火栓が倒されたときに消火栓を迅速に復元することができ、また必要に応じて周壁部材を外し、容易に復元作業を行うことができる。
【００２６】
本発明に係る地上式消火栓用ブロックにあっては、給水管の周囲に地上式消火栓用ブロック、例えばコンクリートブロックを二つ組合わせて配置し、該コンクリートブロックの前記給水管の周面に対向する部分に、前記給水管の周面に沿う凹部を設けておき、前記給水管の周面と該凹部との間に間隙を形成することにより、該間隙に少量の固定剤、例えば生コンクリートを充填して、前記給水管を短時間で地下に固定し、また前記ブロックを、前記給水管を地下に固定する部材の一部にして廃材を無くし、前記給水管を固定するための費用を削減することができる。
【発明を実施するための最良の形態】
【００２７】
（実施の形態１）
以下本発明を、実施の形態１に係る地上式消火栓システムを示す図面に基づいて詳述する。図１は地上式消火栓システムの要部構成を示す模式的正面図、図２は地上式消火栓システムの固定部材を示す模式的平面図、図３はコンクリートブロックを給水管の周囲に配置しているときの状態を示す模式的斜視図である。
【００２８】
図において１は地上式消火栓システムの円筒状をなす消火栓であり、該消火栓１は地上に立設してある。前記消火栓１に、ラジアル方向に突出し、水を放水する放水筒が設けてあり、該放水筒の先端部にキャップ２が設けられる。前記消火栓１に水を供給する給水管３が前記消火栓１に接続してあり、給水管３は土層５０に配置してある。該給水管３に、図示しない弁体を備える主弁用弁箱４を接続してあり、該主弁用弁箱４に、図示しないボール型の弁体を内部に有する副弁用弁箱５を接続してある。該副弁用弁箱５には乙管６を接続してあり、該乙管６は水源としての水道管に連結してある。前記主弁用弁箱４、副弁用弁箱５及び乙管６は土層５０の下側にある砂利層５１に配置してある。
【００２９】
前記副弁用弁箱５の側面にロッド連結部７を設けてあり、該ロッド連結部７に前記給水管３に略平行なパイプ７ａを設けてある。該パイプ７ａにロッド７ｂが挿入してあり、該ロッド７ｂの一端部が前記ロッド連結部７にて図示しないウォームギア及びウォームホイールを介して前記弁体に連結してある。前記ロッド７ｂの他端部は地上に延出しており、該他端部を回転したときに、該回転が前記ウォームギア及びウォームホイールに伝動して、前記ボール型の弁体が開閉し、前記主弁用弁箱４への送水が行われるか又は停止される。前記主弁用弁箱４に備えてある弁体は、前記消火栓１の内部を通して設けてある図示しない弁棒に連なっており、該弁棒の回転により開閉し、前記消火栓１への送水が行われるか又は停止される。
【００３０】
前記給水管３の周面に沿うべき半円切欠８ｂ（８０ｂ）と、該半円切欠８ｂ（８０ｂ）に連なっており、前記パイプ７ａの周面の略半分を囲うべき矩形切欠８ｃ（８０ｃ）とをその一側面８ａ（８０ａ）に備える二つのコンクリートブロック８、８０がある。該コンクリートブロック８（８０）の両端部に、二つの連結ボルト９ａ、９ａを挿通するための、前記一側面８ａ（８０ａ）に垂直な挿通孔８ｄ（８０ｄ）、８ｄ（８０ｄ）を開設してある。
【００３１】
一方のコンクリートブロック８の半円切欠８ｂ及び矩形切欠８ｃを、他方のコンクリートブロック８０の半円切欠８０ｂ及び矩形切欠８０ｃに対向させて二つのコンクリートブロック８、８０を組合わせたときに、一方のコンクリートブロック８に開設してある挿通孔８ｄ、８ｄは、他方のコンクリートブロック８０に開設してある挿通孔８０ｄ、８０ｄに連なり、一方の挿通孔８ｄ、８ｄに、前記連結ボルト９ａ、９ａを挿通し、他方の挿通孔８０ｄ、８０ｄから連結ボルト９ａ、９ａの先端部を突出させ、該連結ボルト９ａ、９ａの先端部に二つの連結ナット９ｂ、９ｂを螺合して、両コンクリートブロック８、８０が継合する。二つの半円切欠８ｂ、８０ｂにより略円柱形の空間Ｓ１が形成され、二つの前記矩形切欠８ｃ、８０ｃにより直方体状の空間Ｓ２が形成される。
【００３２】
次に前記二つのコンクリートブロック８、８０の設置方法について説明する。前記給水管３及びパイプ７ａの周囲にある土層５０の一部を取除き、前記二つのコンクリートブロック８、８０を、土層５０から突出した前記給水管３及びパイプ７ａの周囲に配置する。図３にて示す如く、二つの前記半円切欠８ｂ、８０ｂが前記給水管３を挟み、二つの前記矩形切欠８ｃ、８０ｃがパイプ７ａを挟むように、二つのコンクリートブロック８、８０の位置決めを行う。そして前記連結ボルト９ａ、９ａを挿通孔８ｄ（８０ｄ）、８ｄ（８０ｄ）に挿通し、二つの連結ナット９ｂ、９ｂにより、二つのコンクリートブロック８、８０を継合する。略円柱形の前記空間Ｓ１内に給水管３が位置し、直方体状の前記空間Ｓ２内にパイプ７ａが位置し、給水管３及びパイプ７ａの周面近傍に間隙が形成される。該間隙に生コンクリートを充填し、該生コンクリートが凝固して、前記給水管３及びパイプ７ａの周面に、両コンクリートブロック８、８０及び充填したコンクリートを備える固定部材１０が形成され、前記給水管３及びパイプ７ａが土層５０に固定される。
【００３３】
実施の形態１に係る地上式消火栓システムにあっては、給水管３の周囲に、給水管３の周面に沿うべき二つの半円切欠８ｂ、８０ｂを有する二つのコンクリートブロック８、８０を組合わせて配置することにより、前記給水管３の周面近傍に間隙を形成し、該間隙に少量の生コンクリートを充填して前記給水管３を短時間で土層５０に固定し、また前記コンリートブロック８、８０を、前記給水管３を固定する固定部材１０の一部にして廃材を無くし、前記給水管３を土層５０に固定するための費用を削減することができ、また保守点検、修理、新しい地上式消火栓システムへの交換等を行うときに、充填したコンクリートを破砕することにより、容易にコンクリートブロック８、８０を取り出すことができ、取り出したコンクリートブロック８、８０を再利用することができる。
【００３４】
また両コンクリートブロック８、８０に挿通孔８ｄ（８０ｄ）、８ｄ（８０ｄ）をそれぞれ開設し、該挿通孔８ｄ（８０ｄ）、８ｄ（８０ｄ）に連結ボルト９ａ、９ａを挿入し、該連結ボルト９ａ、９ａに二つの連結ナット９ｂ、９ｂを螺合してコンクリートブロック８、８０をそれぞれ緊密に継合し、コンクリートブロック８、８０の継目に隙間が発生し、前記給水管３及び前記パイプ７ａの周面近傍に形成された間隙に充填した生コンクリートが、コンクリートブロック８、８０の継目から流出することを防ぐことができる。
【００３５】
なお固定部材１０はコンクリートブロックを三つ以上備えていても良い。また連結ボルト９ａ及び連結ナット９ｂに替えて、ベルト、かすがい等の連結部材を使用して、二つのコンクリートブロック８、８０を連結しても良い。またコンクリートブロック８、８０の一側面８ａ、８０ａに二つのテーパをそれぞれ設け、テーパを互いに接触させて摩擦力により緊密に継合しても良い。また前記給水管３及び前記パイプ７ａの周囲に形成された間隙に、生コンクリートに替えてエポキシ系樹脂のモルタルを充填しても良い。また固定部材１０の周囲には砂利を敷き詰めていても良い。
【００３６】
（実施の形態２）
以下本発明を実施の形態２に係る地上式消火栓システムを示す図面に基づいて詳述する。図４は地上式消火栓システムの要部構成を示す模式的側面断面図、図５は地上式消火栓システムの消火栓及び給水管を示す模式的分解斜視図、図６は地上式消火栓システムを示す模式的平面図である。
【００３７】
前記消火栓１の前記給水管３に接続される部分に、消火栓フランジ１１を設けてあり、該消火栓フランジ１１に、複数のボルト２１を挿通する複数のボルト孔１１ａを周方向に沿って並設してある。前記給水管３の前記消火栓１に接続される部分に、給水管フランジ３１を設けてあり、消火栓フランジ１１及び給水管フランジ３１を対向させて、前記消火栓１と前記給水管３を接続してある。前記消火栓フランジ１１は前記給水管フランジ３１よりも大径になっており、前記ボルト孔１１ａは、前記給水管フランジ３１のラジアル方向外側に位置している。
【００３８】
前記ボルト２１を挿通する貫通孔２３ａを中央部に開設してあり、衝撃により破壊される複数の破壊板２３がある。図５にて示す如く、給水管フランジ３１の給水管３側の側面にて、前記貫通孔２３ａを前記ボルト孔１１ａに整合させて前記破壊板２３が位置決めされ、前記貫通孔２３ａに給水管３側からボルト２１を挿通し、前記ボルト孔１１ａから前記ボルト２１の先端部を延出させ、ボルト２１の先端部に複数の袋ナット２２をそれぞれ螺合して締付け、該袋ナット２２及び前記破壊板２３の間で前記消火栓フランジ１１及び給水管フランジ３１を挟着してある。なお図５においてボルト２１、袋ナット２２及び破壊板２３の記載を一部省略してある。
【００３９】
前記給水管３は地上に適長延出し、前記給水管フランジ３１は地上に位置している。前記固定部材１０は、地表付近の土層５０にて、前記給水管３の周面に設けてある。前記固定部材１０の上に、前記給水管フランジ３１を囲む円環形の周壁部材４０を載置してある。
【００４０】
本発明に係る地上式消火栓システムにあっては、前記給水管フランジ３１を囲む周壁部材４０を設けることにより、給水管３の地上に延出した部分を視認することができず、地上式消火栓システムの外観を維持することができると共に、前記消火栓１に車両が衝突し、前記破壊板２３が破壊されて前記消火栓１が倒れ、倒れた消火栓１を復元するときに、給水管３側から、前記ボルト孔１１ａ及び貫通孔２３ａに前記ボルト２１を挿入する作業を行うための空間を前記周壁部材４０の内側に確保し、復元作業を迅速に行うことができ、また必要に応じて前記周壁部材４０を外し、容易に復元作業を行うことができる。
【００４１】
なお周壁部材４０を固定部材１０に取り外し可能に固定しても良く、固定方法としては係合凹部を固定部材１０に設け、該係合凹部に前記周壁部材４０を係合するか、又は接着剤により取り外し可能に接着することが挙げられる。また周壁部材４０の形状は円環形に限らず、三角形、矩形等その他の形状であっても良い。なお図４においてロッド連結部７、パイプ７ａ、ロッド７ｂの記載を省略してある。
【００４２】
実施の形態２に係る地上式消火栓システムの構成の内、実施の形態１と同様の構成については同じ符号を付し、その詳細な説明を省略する。
【図面の簡単な説明】
【００４３】
【図１】実施の形態１に係る地上式消火栓システムの要部構成を示す模式的正面図である。
【図２】実施の形態１に係る地上式消火栓システムの固定部材を示す模式的平面図である。
【図３】実施の形態１に係る地上式消火栓システムのコンクリートブロックを給水管の周囲に配置しているときの状態を示す模式的斜視図である。
【図４】実施の形態２に係る地上式消火栓システムの要部構成を示す模式的側面断面図である。
【図５】実施の形態２に係る地上式消火栓システムの消火栓及び給水管を示す模式的分解斜視図である。
【図６】実施の形態２に係る地上式消火栓システムを示す模式的平面図である。
【符号の説明】
【００４４】
１  消火栓
３  給水管
４  主弁用弁箱
５  副弁用弁箱
８、８０  コンクリートブロック（ブロック、地上式消火栓用ブロック）
８ａ、８０ａ  対向面
８ｂ、８０ｂ  半円切欠（凹部）
８ｃ、８０ｃ  矩形切欠
８ｄ、８０ｄ  挿通孔
９ａ  連結ボルト（連結部材）
９ｂ  連結ナット（連結部材）
１０  固定部材
１１  消火栓フランジ
３１  給水管フランジ
４０  周壁部材
【図１】
2008267075.tif 000003
【図２】
2008267075.tif 000004
【図３】
2008267075.tif 000005
【図４】
2008267075.tif 000006
【図５】
2008267075.tif 000007
【図６】
2008267075.tif 000008